(57)【要約】【課題】  簡易なシステム構成で、浴槽、洗い場のいずれにいても出音装置が供する音や映像の視聴が容易な浴室システムを提供する。【解決手段】  浴室リモコン２ａや浴室テレビ２ｂなどのように音を出力する機能を備えた出音装置２を浴室Ｂ内に備えた浴室システムにおいて、水位センサ１１からの水位検出信号に基づいて浴槽３内に人がいるか否かを判別する人検知部１４を設けるとともに、出音装置２には出力音量の音量制御を行う音量制御部２２，２６を設ける。そして、上記音量制御部２２，２６は、人検知部１４からの検知信号に基づいて、浴槽３内に人がいないと判別したときは、浴槽３内に人がいると判別したときの音量よも出音装置２の出力音量を大きくする。【選択図】  図１
2006271602.tif 000002
【特許請求の範囲】
【請求項１】
音を出力する音出力手段を有する出音装置を浴室内に備えてなる浴室システムであって、
浴槽内に人がいるか否かを判別する判別手段と、
前記判別手段による判別結果に応じて前記出音装置の出力音量の設定変更処理を行う音量制御手段とを備え、
前記音量制御手段は、前記出力音量の設定変更処理として、前記浴槽内に人がいないと判別されると、前記出音装置の出力音量を浴槽内に人がいると判別されたときよも大きく設定する第１の制御構成、または、前記浴槽内に人がいると判別されると、前記出音装置の出力音量を浴槽内に人がいないと判別されたときよりも小さく設定する第２の制御構成のいずれか一方を備えた
ことを特徴とする浴室システム。
【請求項２】
操作手段を備え、該操作手段において、前記音量制御手段における出力音量の設定変更処理を行うか否かの選択操作ができるように構成されていることを特徴とする請求項１に記載の浴室システム。
【請求項３】
操作手段を備え、該操作手段により、前記音量制御手段における出力音量の設定変更処理において、浴槽内に人がいるか否かの判別後に設定される出力音量の設定変更操作ができるように構成されていることを特徴とする請求項１に記載の浴室システム。
【請求項４】
音を出力する音出力手段を有する出音装置を浴室内に備えた浴室システムにおいて、
浴槽内に人がいるか否かを判別する判別手段と、
前記音出力手段の位置を、初期状態の第１の位置と、この第１の位置とは音の出力方向が異なる第２の位置とに切り替え移動させる駆動手段と、
前記判別手段による判別結果に応じて前記駆動手段に対して前記第１の位置または第２の位置のいずれに設定するかを指示する位置設定処理を行う位置制御手段とを備え、
前記位置制御手段は、前記位置設定処理として、前記浴槽内に人がいると判別されると、前記駆動手段に前記第１の位置を指示し、前記浴槽内に人がいないと判別されると、前記駆動手段に前記第２の位置を指示する制御構成を備えた
ことを特徴とする浴室システム。
【請求項５】
前記出音装置が、前記音出力手段とともに映像を表示する映像表示手段を備えて構成され、前記駆動手段が、前記音出力手段とともに前記映像表示手段の位置も切り替え移動させるように構成されていることを特徴とする請求項４に記載の浴室システム。
【請求項６】
前記判別手段が、浴槽内の水位を検出する水位検出手段と、前記水位検出手段からの水位検出信号に基づいて浴槽内に人がいるか否かの判定処理を行う人検知手段とを備えて構成され、
前記人検知手段は、前記判定処理として、前記水位検出信号に基づいて、所定レベルを超える急激な水位上昇を検出したときには浴槽内に人がいると判別する一方、所定レベルを超える急激な水位下降を検出したときには浴槽内に人がいないと判別する制御構成を備えたことを特徴とする請求項１から５のいずれか一つに記載の浴室システム。
【発明の詳細な説明】
【技術分野】
【０００１】
この発明は浴室システムに関し、より詳細には、浴室に音を出力する音出力手段を有する出音装置を備えた浴室システムに関する。
【背景技術】
【０００２】
近年、浴室内には、テレビジョン放送やラジオ放送の受信装置や、記録された音楽などを再生する再生装置（バスオーディオ）、さらには音声ガイダンス機能を備えた給湯器用リモコン等のように、音を出力する音出力手段を備えた各種の出音装置が設置されることが多くなっている。
【０００３】
その一方、このような出音装置が設置される浴室には、シャワーや浴室暖房機のように、使用時に騒音を発生させる器具が多く設けられており、これらの器具が使用されると出音装置から出力される音が聴き取り難くなる傾向がある。
【０００４】
そのため、この種の出音装置を備えた近時の浴室システムにおいては、たとえば、特許文献１に示すように、浴室にて騒音を発生させる器具の使用を検知する検知手段を設け、該検知手段の検知出力に基づいて出音装置の出力音量を増減させるようにしたものが提案されている。
【０００５】
【特許文献１】特開平１０−４３０７５号公報
【発明の開示】
【発明が解決しようとする課題】
【０００６】
しかしながら、上述したように、浴室にて騒音を発生させる器具の使用を検知する検知手段を設ける構成では、以下のような問題があり、その改善が望まれていた。
【０００７】
すなわち、最近では、ユーザが快適に浴室を利用できるように、浴室内に設置される器具についても様々な器具（たとえばジェットバスやミスト噴霧装置など）が提供されており、これらの機具が騒音を発生させる場合、上述した従来の構成では多くの検知手段（検知出力）が必要となり、システムが複雑になるという問題があった。
【０００８】
また、このような機具の中には後付けで追加可能に構成されたものもあることから、浴室システムの構築当初には存在しなかったが、後付けによって騒音を発生させる器具が追加されたような場合、器具追加の度に検知手段を新たに設ける必要があり不便であった。
【０００９】
また、上記特許文献１に示す構成では、騒音を発生させる器具の使用に対しては、出音装置の出力音量を増大させて対応することになるが、浴室に設置される出音装置は、通常、ユーザが浴槽に入っている時（浴槽につかってリラックスしている時）に使用することを予定しているため、その設置場所はユーザが浴槽に入っている状態を想定して設定される（通常、浴槽につかった人に対面するように設置されており、洗い場の方には向いていない）ので、浴槽から出て洗い場にいるユーザが聴取し易くするには、かなり音量を増大させなければならない。
【００１０】
しかも、出音装置が、テレビジョン放送の受信装置のように映像の視聴も行わせる場合にあっては、洗い場からは映像が見づらいといった問題もあった。
【００１１】
本発明はこのような従来の問題点に鑑みてなされたものであって、その目的とするところは、簡易なシステム構成で、浴槽、洗い場のいずれにいても出音装置が供する音や映像の視聴が容易な浴室システムを提供することにある。
【課題を解決するための手段】
【００１２】
上記目的を達成するため、第１の発明に係る浴室システムは、音を出力する音出力手段を有する出音装置を浴室内に備えてなる浴室システムであって、浴槽内に人がいるか否かを判別する判別手段と、上記判別手段による判別結果に応じて上記出音装置の出力音量の設定変更処理を行う音量制御手段とを備え、上記音量制御手段は、上記出力音量の設定変更処理として、上記浴槽内に人がいないと判別されると、上記出音装置の出力音量を浴槽内に人がいると判別されたときよも大きく設定する第１の制御構成、または、上記浴槽内に人がいると判別されると、上記出音装置の出力音量を浴槽内に人がいないと判別されたときよりも小さく設定する第２の制御構成のいずれか一方を備えたことを特徴とする。
【００１３】
ここで、上記出音装置の出力音量を浴槽内に人がいるか否かで切り替えるように構成しているのは、浴室において騒音を発生させる器具の多くは、ユーザが浴槽の外、つまりは洗い場にいる時に使用されることが多い（たとえば、シャワーやミスト発生装置など）ことや、上述したように、出音装置は、ユーザが浴槽に入っている時に使用することを予定して設置されているため音の出力方向が洗い場に指向していないので、洗い場にいる場合には音が聴き取り難い傾向があること等を考慮して、ユーザが洗い場にいる場合には、出音装置の出力音量を大きくして音を聴き取り易くするためである。
【００１４】
そして、その好適な実施態様として、操作手段を備え、該操作手段において、上記音量制御手段における出力音量の設定変更処理を行うか否かの選択操作ができるように構成されていることを特徴とする。また、他の好適な実施態様として、操作手段を備え、該操作手段により、上記音量制御手段における出力音量の設定変更処理において、浴槽内に人がいるか否かの判別後に設定される出力音量の設定変更操作ができるように構成されていることを特徴とする。
【００１５】
また、第２の発明に係る浴室システムは、音を出力する音出力手段を有する出音装置を浴室内に備えた浴室システムにおいて、浴槽内に人がいるか否かを判別する判別手段と、上記音出力手段の位置を、初期状態の第１の位置と、この第１の位置とは音の出力方向が異なる第２の位置とに切り替え移動させる駆動手段と、上記判別手段による判別結果に応じて上記駆動手段に対して上記第１の位置または第２の位置のいずれに設定するかを指示する位置設定処理を行う位置制御手段とを備え、上記位置制御手段は、上記位置設定処理として、上記浴槽内に人がいると判別されると、上記駆動手段に上記第１の位置を指示し、上記浴槽内に人がいないと判別されると、上記駆動手段に上記第２の位置を指示する制御構成を備えたことを特徴とする。
【００１６】
ここで、上記駆動手段によって設定される出音装置の位置を、浴槽内に人がいるか否かで切り替えるように構成しているのは、上記第１の発明の場合と同様に、浴室において騒音を発生させる器具の多くは、ユーザが浴槽の外、つまりは洗い場にいる時に使用されることが多い（たとえば、シャワーやミスト発生装置など）ことや、出音装置は、ユーザが浴槽に入っている時に使用することを予定して設置されているため、洗い場にいる場合には音が聴き取り難い傾向があること等を考慮し、ユーザが洗い場にいる場合には出音装置の向きを洗い場の方向に指向させることによって音を聴き取り易くするためである。
【００１７】
そして、その好適な実施態様として、上記出音装置が、上記音出力手段とともに映像を表示する映像表示手段を備えて構成され、上記駆動手段が、上記音出力手段とともに上記映像表示手段の位置も切り替え移動させるように構成されていることを特徴とする。
【００１８】
また、上記第１または第２の発明に共通する実施態様として、上記判別手段が、浴槽内の水位を検出する水位検出手段と、上記水位検出手段からの水位検出信号に基づいて浴槽内に人がいるか否かの判定処理を行う人検知手段とを備えて構成され、上記人検知手段は、上記判定処理として、上記水位検出信号に基づいて、所定レベルを超える急激な水位上昇を検出したときには浴槽内に人がいると判別する一方、所定レベルを超える急激な水位下降を検出したときには浴槽内に人がいないと判別する制御構成を備えたことを特徴とする。
【発明の効果】
【００１９】
第１の発明によれば、浴室内の出音装置の音量が、浴槽内に人がいるか否かを判別する判別手段の判別結果に応じて増減されるように構成されているので、従来のように、浴室内において騒音を発生させる機具毎にその動作の有無を検出する必要がないので、システムの構成を簡単にすることができる。また、騒音を発生させる機具の追加に対しても容易に対応することができる。
【００２０】
また、第２の発明によれば、浴槽内に人がいるか否かを判別する判別手段の判別結果に応じて作動する駆動手段によって、浴槽内に人がいない場合には、出音装置を初期状態の第１の位置とは音の出力方向が異なる第２の位置に切り替え移動させることができるので、出音装置から出力される音を洗い場に指向させることができる。その結果、洗い場にいるユーザは、小さな音量でも出音装置から出力される音を容易に聞き取ることができるようになる。また、出音装置が音出力手段とともに映像を表示する映像表示手段を備えて構成される場合には、音出力手段とともに映像表示手段も洗い場に指向させることができるので、表示される映像が洗い場からも見易くなる。
【発明を実施するための最良の形態】
【００２１】
以下、本発明の実施形態を図１乃至図５に基づいて詳細に説明する。
【００２２】
実施形態１
図１は本発明に係る浴室システムの概略構成を示すブロック図である。図示の浴室システムは、浴室Ｂ内に音を出力する出音装置２として、給湯器１の遠隔操作装置である浴室リモコン２ａと、テレビジョン放送の受信装置である浴室テレビ２ｂとを備えた場合を示している。
【００２３】
本発明に係る浴室システムは、浴槽３内に人がいるか否かを判断して出音装置２の出力音量を自動的に増減させるシステムであって、そのための構成として、浴槽３内に人がいるか否かを判別する判別手段と、該判別手段による判別結果に応じて上記出音装置２の出力音量の設定変更処理を行う音量制御手段を主要部として備えている。
【００２４】
具体的には、上記浴室システムは、給湯器１と、出音装置２としての浴室リモコン２ａおよび浴室テレビ２ｂと、浴槽３とを主要部として構成される。
【００２５】
上記給湯器１は、浴槽３やカラン・シャワー等の給湯栓に温水を供給する温水生成装置であって、本発明では、上記判別手段として、浴槽３の水位を検出する水位センサ（水位検出手段）１１と、給湯器１の各部を制御する制御部（人検知手段）１２を備えている。なお、この給湯器１には、温水を生成するための熱交換器や該熱交換器を加熱するバーナなど給湯機能を実現するための部位が備えられているが、本発明とは直接関係しないのでこれらについては説明を省略する。
【００２６】
上記水位センサ１１は、浴槽３の水位に応じて電気信号を生成・出力するセンサであって、この水位センサ１１で検出された浴槽３の水位は、水位検出信号として上記制御部１２に与えられる。なお、この水位センサ１１は、浴槽３の水位を監視して給湯制御を行う給湯器（換言すれば、自動湯張り運転機能を備えた給湯器）において自動湯張り運転時の水位監視用に用いられている水位センサが好適に使用されるが、自動湯張り機能を持たない給湯器にあっては別途水位センサが設けられる。
【００２７】
上記制御部１２は、マイクロコンピュータを搭載した制御装置で構成され、本発明では、このマイクロコンピュータが、上記水位センサ１１からの水位検出信号に基づいて浴槽３内に人がいるか否かを判別する人検知手段を構成する。
【００２８】
具体的には、この人検知手段は、入力された水位検出信号に基づいて浴槽３の水位を特定・認識する水位認識部１３と、この水位認識部１３で認識された水位に基づいて浴槽３内に人がいるか否かを判別し、その判別結果を人検知信号として上記出音装置２に対して出力する人検知部１４とから構成される。
【００２９】
より詳細には、この人検知手段では、上記人検知部１４が、上記水位センサ１１から得られた水位検出信号に基づいて上記水位認識部１３で認識される浴槽３の水位の変化を監視する。そして、この水位監視において、予め定められた所定レベルを超える急激な水位上昇を検出したときには、浴槽３内に人が入った（つまり、浴槽３内に人がいる）と判別する一方、予め定められた所定レベルを超える急激な水位下降を検出したときには、浴槽３内から人が出て洗い場にいる（つまり、浴槽３内には人がいない）と判別して、その結果を人検知信号として出音装置２に対して送信する。
【００３０】
なお、ここで、この急激な水位上昇または急激な水位下降とは、浴槽３内に人が入ったり出たりしたと判断するに十分な水位の変化を意味しており、具体的には、所定時間（たとえば数秒）が経過する間に水位が所定長さ（たとえば高低差十数センチメートル）以上変化（上昇または下降）すると急激な水位上昇または水位下降があったと判断される。なお、これらの具体的な数値は、浴槽３の大きさに応じて適宜設定される。
【００３１】
そこで、図２に基づいて、上記制御部１２において浴槽３内に人がいるか否か（換言すれば、人が洗い場または浴槽３内のいずれにいるか）を判別する手順の具体例を説明する。
【００３２】
すなわち、給湯器１の制御部１２は、自動湯張り運転が完了するなどして浴槽３が入浴可能な状態になると、はじめは洗い場に人がいる（換言すれば、浴槽３内には人はいない）と判別する（図２ステップＳ１参照）。
【００３３】
そして、次に、上記人検知部１４は、上記水位認識部１３で認識される浴槽３の水位が、上述したように、急激に上昇したかを判断し（図２ステップＳ２参照）、この判断が肯定的であれば浴槽３内に人がいると判別して（図２ステップＳ３参照）、上記図２ステップＳ２に戻る。一方、図２ステップＳ２の判断が否定的な場合は、浴槽３の水位が急激に下降したかを判断して（図２ステップＳ４参照）、その判断が肯定的であれば、洗い場に人がいると判別して（図２ステップＳ５参照）、上記図２ステップＳ２に戻る。
【００３４】
そして、上記図２ステップＳ４の判断が否定的であれば、人検知部１４は先に行った判別を維持して（図２ステップＳ６参照）、上記図２ステップＳ２に戻る。
【００３５】
一方、上記出音装置２は、音声やメロディーなどの音を生成・出力するための音出力手段と、この音出力手段から出力される音の音量を制御する音量制御手段とを主要部として備えている。
【００３６】
具体的には、上記出音装置２の一つを構成する浴室リモコン２ａは、上記給湯器１を遠隔操作するための操作装置であって、上記音出力手段として、給湯器１の動作状態や後述するリモコン操作部２３の操作内容等を予め設定された所定の音声メッセージや所定の警報音で報知するメッセージ等再生部２１と、上記音量制御部として、このメッセージ等再生部２１で再生される音声メッセージ等の出力音量を制御するリモコン音量制御部２２と、給湯器１に対する遠隔操作指令や浴室リモコン２ａの内部設定などを入力するためのリモコン操作部（操作手段）２３を主要部として備えている。
【００３７】
ここで、上記リモコン音量制御部２２は、上記メッセージ等再生部２１の出力音量を設定するにあたり、基準となる第１の設定音量と、この第１の設定音量よりも音量の大きい第２の設定音量の二つの設定値を有している。そして、本実施形態では、上記第１の設定音量は固定値または上記リモコン操作部２３で任意に設定可能に構成される。また、上記第２の設定音量は、この第１の設定音量に対して音量の増加分が固定または上記リモコン操作部２３で任意に設定可能に構成される。
【００３８】
そして、このリモコン音量制御部２２は、上記給湯器１の制御部１２と通信接続され、該制御部１２の人検知部１４から与えられる人検知信号に基づいて上記第１または第２の設定音量の一方を自動的に選択してメッセージ等再生部２１の出力音量を制御する（音量の自動制御）。
【００３９】
なお、このリモコン音量制御部２２による音量の自動制御は、上記リモコン操作部２３の操作によってその要否を任意に選択設定できるように構成される。そして、自動制御を行わないとの選択がなされている場合には、上記リモコン音量制御部２２は、上記メッセージ等再生部２１の出力音量を上記第１の設定音量に設定する。
【００４０】
一方の浴室テレビ２ｂは、テレビジョン放送を受信するための受信装置であって、上記音出力手段として、受信したテレビジョン放送の音声を出力するテレビ音声再生部２５と、上記音量制御部として、このテレビ音声再生部２５の出力音量を制御するテレビ音量制御部２６と、受信したテレビジョン放送の映像を表示するテレビ映像表示部（映像表示手段）２７と、電源オン／オフ、受信チャンネルの選択、上記テレビ音声再生部２５の出力音量の設定等、テレビ操作を行うテレビ操作部（操作手段）２８とを主要部として備えている。
【００４１】
そして、このテレビ音量制御部２６も、上述したリモコン音量制御部２２と同様に、上記テレビ音声再生部２５の出力音量を設定するにあたり、基準となる第１の設定音量と、この第１の設定音量よりも音量の大きい第２の設定音量の二つの設定値を有している。そして、このテレビ音量制御部２６では、上記第１の設定音量は上記テレビ操作部２８によって任意に設定可能に構成される。また、上記第２の設定音量は、この第１の設定音量に対して音量の増加分が固定または上記テレビ操作部２８で任意に設定可能に構成される。
【００４２】
また、このテレビ音量制御部２６も、上述したリモコン音量制御部２２と同様に、上記給湯器１の制御部１２と通信接続され、該制御部１２の人検知部１４から与えられる人検知信号に基づいて上記第１または第２の設定音量の一方を自動的に選択してテレビ音声再生部２５の出力音量を制御する（音量の自動制御）。
【００４３】
そして、このテレビ音量制御部２６による音量の自動制御は、上記テレビ操作部２８の操作によってその要否を任意に選択設定できるように構成され、自動制御を行わないとの選択がなされている場合には、上記テレビ音量制御部２６は、上記テレビ音声再生部２５の出力音量を上記第１の設定音量に設定する。
【００４４】
しかして、このように構成された浴室システムの作用について図３に基づいて説明する。
【００４５】
すなわち、出音装置２は、動作を開始すると、まず、その制御部である上記リモコン音量制御部２２およびテレビ音量制御部２６は、音量の自動制御を行う設定になっているかを判断する（図３ステップＳ１参照）。なお、この判断が否定的な場合には、上記リモコン音量制御部２２およびテレビ音量制御部２６は、音量の自動制御を行わず、その操作手段（リモコン操作部２３やテレビ操作部２８）で設定された音量、つまり上記第１の設定音量に設定される（図３ステップＳ５参照）。
【００４６】
そして、この判断が肯定的であれば、次の手順として、浴槽３に人がいるか否かを判断する（図３ステップＳ２参照）。この判断は、上述したように、給湯器１の制御部１２（具体的には、人検知部１４）から与えられる人検知信号に基づいて判断される。
【００４７】
そして、浴槽３に人がいると判断された場合には、上記リモコン音量制御部２２およびテレビ音量制御部２６は、メッセージ等再生部２１およびテレビ音声再生部２５の音量設定を、上述した音量の自動制御において音量の小さい設定、つまり、本実施形態では上記第１の音量設定とする（図３ステップＳ３参照）。
【００４８】
一方、図３ステップＳ２の判断が否定的、つまり、浴槽３に人がいないと判断されると、上記リモコン音量制御部２２およびテレビ音量制御部２６は、メッセージ等再生部２１およびテレビ音声再生部２５の音量設定を、上述した音量の自動制御において音量の大きい設定、つまり、本実施形態では上記第２の音量設定とする（図３ステップＳ４参照）。
【００４９】
このように、本実施形態では、音量制御手段（リモコン音量制御部２２，テレビ音量制御部２６）が人検知手段（人検知部１４）からの人検知信号に基づいて上記浴槽３内に人がいないと判別すると、出音装置２の出力音量を浴槽３内に人がいると判別されたときよも大きく設定するように構成されているので、ユーザが洗い場にいるときには浴室リモコン２ａから出力される音声メッセージや浴室テレビ２ｂから出力されるテレビ音声等の音量が大きくなるので、ユーザが聞き取り易くなる。
【００５０】
なお、上述した実施形態では、上記音量制御手段は、浴槽３内に人がいないと判別すると出音装置２の出力音量を大きく設定するように構成した場合を示したが、たとえば、これとは反対に、浴槽３内に人がいると判別すると、出音装置２の出力音量を浴槽３内に人がいないと判別したときよりも小さく設定するように構成することも可能である。
【００５１】
実施形態２
次に、本発明の第２の実施形態を図４および図５に基づいて説明する。
本実施形態に示す浴室システムは、図４に示すように、上記浴室テレビ２ｂに、該浴室テレビ２ｂから出力される音の出力方向を変更する駆動部（駆動手段）２９を設けた点で上述した実施形態１と相違するが、その他の構成は実施形態１と同様であるので、構成が共通する部分には同一の符号を付して説明を省略する。
【００５２】
すなわち、上記駆動部２９は、ユーザが洗い場にいる場合に、浴室Ｂの壁面に設置された浴室テレビ２ｂを洗い場の方向に指向させるための駆動機構であって、具体的には、たとえば、図５に示すように、浴室テレビ２ｂの一側部を軸として該浴室テレビ２ｂを洗い場５側に旋回駆動させる駆動装置で構成される。
【００５３】
より詳細には、この駆動部２９は、上記テレビ音量制御部２６と連動して駆動するように構成され、上記テレビ音量制御部２６が人検知部１４からの人検知信号に基づいて浴槽３に人がいないと判断すると、初期状態の第１の位置（図５(a)に示すように、壁面に設置された状態の位置）から第２の位置（図５(b)に示すように、浴室テレビ２ｂの前面に設けられたテレビ音声再生部２５（具体的にはスピーカ）と、テレビ映像表示部２７（具体的にはテレビ画面）とが洗い場５の方向に指向する位置）に浴室テレビ２ｂを移動させる。
【００５４】
ここで、上記第２の位置は、浴室テレビ２ｂのスピーカや画面が洗い場５にいるユーザに正対するように設定されるのが好ましいが、正対しなくとも、図５(b)に示すように、一定の角度をもってスピーカや画面が洗い場５に向くように設定されていればよい。
【００５５】
また、この第１の位置と第２の位置の切り替えは、たとえば、人検知部１４での処理が図２に示す手順で行われる場合には、図２ステップＳ２で一度肯定的な判断がなされてから開始されるようにされる。つまり、自動湯張り運転が完了するなどして入浴可能な状態になった当初はユーザが浴槽に入るのを妨げないように第１の位置にあるように設定され、図２ステップＳ２の判断で一度ユーザが浴槽３に入ったのを検出すると上記第２の位置に移動可能な待機状態に入る。そして、その後にユーザが浴槽３から出たのを検出したときには上記第２の位置に移動し、また、ユーザが浴槽３に入ったのを検出すると上記第１の位置に移動するように設定される。
【００５６】
そして、上記とは反対に、上記テレビ音量制御部２６が浴槽３に人がいると判断すると、駆動部２９は、上記浴室テレビ２ｂを上記第２の位置（図５(b)参照）から初期状態の第１の位置（図５(a)参照）に復帰させるように駆動する。
【００５７】
このように、本実施形態によれば、浴槽３内に人がいるか否かに応じて浴室テレビ２ｂの位置を切り替えることができるので、ユーザが洗い場５にいるときでも浴室テレビ２ｂから出力される音を聞き取り易くすることができる。また、同時に、浴室テレビ２ｂのテレビ映像表示部２７に表示される映像も洗い場５から見易くなる。
【００５８】
なお、上述した実施形態では、駆動部２９がテレビ音量制御部２６に連動して駆動するように構成された場合（音量の自動制御との併用）を示したが、駆動部２９を設ける場合には、テレビ音量制御部２６による音量の自動制御は行わず、駆動部２９による位置制御のみを行うように構成することもできる。その場合、上記テレビ音量制御部２６は上記第１の設定音量のみで構成される。
【００５９】
また、上述した実施形態では、駆動部２９を浴室テレビ２ｂにのみ設けた場合を示したが、浴室リモコン２ａのみに設けたり、あるいは双方に設けたりすることも可能である。
【００６０】
なお、上述した実施形態は本発明の好適な実施態様を示すものであって、本発明はこれらに限定されることなくその範囲内で種々の設計変更が可能である。  
【００６１】
たとえば、上述した実施形態では、浴槽３内に人がいるか否かを判別する判別手段として、水位センサ１１を用いた場合を示したが、浴槽３内に人がいるか否かを判別するものであれば、たとえば、浴槽３内にいる人の心拍を検出する心拍センサの検知信号や、浴室Ｂ内の人の動きを監視する撮像装置のビデオ信号に基づいて、浴槽３内に人がいるか否かを判別するように構成することもできる。
【００６２】
また、上述した実施形態では、出音装置２として浴室リモコン２ａと浴室テレビ２ｂを示したが、音出力部を備えるものであれば、バスオーディオなど他の装置を用いることも可能である。
【図面の簡単な説明】
【００６３】
【図１】本発明に係る浴室システムの概略構成を示すブロック図である。
【図２】同浴室システムにおける浴槽内に人がいるか否かの判別手順の一例を示すフローチャートである。
【図３】同浴室システムにおける出音装置の出力音量の設定変更処理手順の一例を示すフローチャートである。
【図４】本発明に係る浴室システムの第２の実施形態の概略構成を示すブロック図である。
【図５】同実施形態２に示す駆動部の機能を説明するための説明図である。
【符号の説明】
【００６４】
１              給湯器
１１            水位センサ
１２            制御部
２              出音装置
２ａ            浴室リモコン
２ｂ            浴室テレビ
２１            メッセージ等再生部（音出力手段）
２２            リモコン音量制御部（音量制御部）
２３            リモコン操作部（操作手段）
２５            テレビ音声再生部（音出力手段）
２６            テレビ音量制御部（音量制御手段）
２７            テレビ映像表示部（映像表示手段）
２８            テレビ操作部（操作手段）
２９            駆動部（駆動手段）
３              浴槽
Ｂ              浴室
【図１】
2006271602.tif 000003
【図２】
2006271602.tif 000004
【図３】
2006271602.tif 000005
【図４】
2006271602.tif 000006
【図５】
2006271602.tif 000007